(57)【要約】      （修正有）【課題】クロスプラットフォームターゲット広告を実施するためのシステム、方法、コンピュータデバイス、及びコンピュータソフトウェアの種々の実施形態を得る。【解決手段】ターゲット広告を提供する方法は、最初のセッションでウェブサイト１１４及びモバイルサイト１１６の一方にアクセスする工程、最初のセッションでユーザーに関連する情報を収集する工程、収集された情報を記憶する工程、第２のセッションで前記ウェブサイト１１４及びモバイルサイト１１６のもう一方にアクセスする工程、記憶された情報に基づき第２のセッションのユーザーを確定する工程、記憶された情報に基づき第２のセッションのターゲット広告を選択する工程、及び第２のセッションでユーザーにターゲット広告を提供する工程を含む。【選択図】図１
2011054173.tif 000002
【特許請求の範囲】
【請求項１】
ターゲット広告を提供する方法であって、
最初のセッションでウェブサイト及びモバイルサイトの一方にアクセスする工程、
最初のセッションでユーザーに関連する情報を収集する工程、
収集された情報を記憶する工程、
第２のセッションで前記ウェブサイト及びモバイルサイトのもう一方にアクセスする工程、
記憶された情報に基づき第２のセッションのユーザーを確定する工程、
記憶された情報に基づき第２のセッションのターゲット広告を選択する工程、及び
第２のセッションでユーザーにターゲット広告を提供する工程を含む方法。
【請求項２】
前記最初のセッションがモバイルサイトを含み、ユーザーに関連する情報の収集がユーザーのロケーションの受取りを含む、請求項１に記載の方法。
【請求項３】
前記ユーザーのロケーションがモバイルキャリアにより与えられる、請求項２に記載の方法。
【請求項４】
前記モバイルサイトがモバイルアラートアプリケーションを含む、請求項１に記載の方法。
【請求項５】
最初のセッションでの情報収集が以下の少なくとも１つを含む、請求項１に記載の方法、
ユーザーのブラウジング履歴の捕捉、
ユーザーの電話番号の受取り、
ロケーション系情報の受取り、及び
ユーザーの選好データの受取り。
【請求項６】
プライマリプラットフォーム及びセカンダリプラットフォームにわたりユーザーにターゲット広告を提供するシステムであって、
サーバー、及び
前記サーバーにより実施されるクロスプラットフォームターゲット広告システムであって、
最初のセッションでプライマリプラットフォーム及びセカンダリプラットフォームの一方によりウェブサイトへのユーザーアクセスを提供し、
最初のセッションでユーザーに関連する情報を収集し、
収集された情報を記憶し、
プライマリプラットフォーム及びセカンダリプラットフォームのもう一方によりウェブサイトへのユーザーアクセスを提供し、
記憶された情報に基づき第２のセッションのユーザーへのターゲット広告を供給するように構成されたロジックを含むクロスプラットフォームターゲット広告システムを含むシステム。
【請求項７】
前記プライマリプラットフォームがオンラインプラットフォームを含み、前記セカンダリプラットフォームがモバイルプラットフォームを含む、請求項６に記載のシステム。
【請求項８】
前記最初のセッションがセカンダリプラットフォームによりアクセスされたモバイルサイトを含み、ユーザーに関連する情報の収集がユーザーのロケーションの受取りを含む、請求項６に記載のシステム。
【請求項９】
前記ユーザーのロケーションがモバイルキャリアにより与えられる、請求項８に記載のシステム。
【請求項１０】
前記モバイルサイトがモバイルアラートアプリケーションを含む、請求項８に記載のシステム。
【請求項１１】
最初のセッションで収集された情報が、以下の少なくとも１つを含む、請求項６に記載のシステム、
ユーザーのブラウジング履歴の捕捉、
ユーザーの電話番号の受取り、
ロケーション系情報の受取り、及び
ユーザーの選好データの受取り。
【発明の詳細な説明】
【背景技術】
【０００１】
広告は、オンラインビジネスモデルの主な駆動力である。オンラインパブリッシャー及び他のコンテントプロバイダー、ウェブアプリケーションプロバイダー、及び多くの他のウェブサイトは、事業を継続するために広告収入に頼るところが非常に大きい。オンライン広告を購入する通常のモデルがいくつかある。オンライン広告が購入される最も普通の方法は、インプレッション単価（ＣＰＭ）、クリック単価（ＣＰＣ）、ビュー単価（ＣＰＶ）、及び顧客獲得単価（ＣＰＡ）である。ＣＰＭは、アドバタイザーが特定の視聴者への自分のメッセージの露出に支払うものである。ＣＰＭコストは、典型的には、表示回数１０００回あたりで課金される。ＣＰＶは、アドバタイザーが、アドバタイザーのウェブサイトへのターゲットとするビジターを送ることに支払うものである。ＣＰＣはクリック課金（ＰＰＣ）としても知られるが、アドバタイザーは、ユーザーがアドバタイザーのリスティングにクリックし、アドバタイザーのウェブサイトに転送されるたびに支払うものである。アドバタイザーは、リスティングには実際には支払わず、リスティングがクリックされた時のみ支払う。このシステムにより、広告の専門家が、検索を正確にして自分のマーケットについての情報を得ることができる。ＰＰＣ課金システムでは、アドバタイザーは、関連するトラフィックを自分のウェブサイトへ向ける一連のターゲットキーワードの下にリストされる権利に支払いし、自分のウェブサイトに直接リンクするリスティングを誰かがクリックした時のみ支払う。ＣＰＣは、ユーザーがターゲットサイトにたどり着くかどうかに関係なく各クリックが支払い対象となる点でＣＰＶと異なる。
【０００２】
ＣＰＡ広告は実績ベースであり、ビジネスのアフィリエートマーケティング部門でよく見られる。この支払いスキームにおいて、パブリッシャーは広告を載せるリスクを全て負い、アドバタイザーは、購入又はサインアップなどの取引を完了したユーザーの数だけ支払う。このモデルはバナー広告で普及している。コストパーリード（ＣＰＬ）広告はＣＰＡ広告と似ており、ユーザーの申込書記入、ニュースレター登録、又は売り上げに結びつくであろうと商人が感じる他の行動に基づいている。また、通常のコストパーオーダー（ＣＰＯ）広告は、注文が処理される各回数に基づいている。
【０００３】
広告モデル又は購入方法に関係なく、アドバタイザーがターゲットとするカスタマーによく合ったウェブサイトにオンライン広告を載せることが、アドバタイザーにとって特に重要である。したがって、多くのウェブサイトが、ターゲットとする広告の実施に役立つアドサーバーを利用している。アドサーバーは、広告を記憶しウェブサイトビジターに広告を配信するコンピューターサーバーである。アドサーバーには２種類ある。ローカルアドサーバー及び第三者又はリモートアドサーバーである。ローカルアドサーバーは、典型的には単一のパブリッシャーにより運営されており、そのパブリッシャーのドメインに広告を供給し、きめ細かいクリエイティブなフォーマッティング及びそのパブリッシャーによるコンテントの制御を可能にする。リモートアドサーバーは、複数のパブリッシャーが所有するドメインにわたって広告を供給できる。それらは１つの中心源から広告を配信するので、アドバタイザー及びパブリッシャーは自分のオンライン広告の流通を追跡でき、ウェブにわたる自分の広告の回転及び流通を制御する１つのロケーションを有する。
【０００４】
オンライン広告のシステム及び方法が成功し流行したにもかかわらず、オンラインターゲット広告を提供するための改善されたシステム、方法、コンピューティングデバイス、及びコンピューターソフトウェアが当産業において必要とされたままである。
【発明の概要】
【課題を解決するための手段】
【０００５】
クロスプラットフォームターゲット広告の実施のためのシステム、方法、コンピューティングデバイス、及びコンピューターソフトウェアの種々の実施形態が開示される。一実施形態は、ターゲット広告を提供する方法である。そのような方法は、最初のセッションでウェブサイト及びモバイルサイトの一方にアクセスする工程；最初のセッションでユーザーに関連する情報を収集する工程；収集された情報を記憶する工程；第２のセッションで前記ウェブサイト及びモバイルサイトのもう一方にアクセスする工程；記憶された情報に基づき第２のセッションのユーザーを確定する工程；記憶された情報に基づき第２のセッションのターゲット広告を選択する工程；及び第２のセッションでユーザーにターゲット広告を提供する工程を含む。
【０００６】
他の実施形態は、プライマリプラットフォーム及びセカンダリプラットフォームにわたりユーザーにターゲット広告を提供するシステムである。そのようなシステムは、サーバー及び前記サーバーにより実施されるクロスプラットフォームターゲット広告システムを含む。クロスプラットフォームターゲット広告システムは、最初のセッションでプライマリプラットフォーム及びセカンダリプラットフォームの一方によるウェブサイトへのユーザーアクセスを提供し；最初のセッションでユーザーに関連する情報を収集し；収集された情報を記憶し；前記プライマリプラットフォーム及びセカンダリプラットフォームのもう一方によるウェブサイトへのユーザーアクセスを提供し；記憶された情報に基づき第２のセッションのユーザーへのターゲット広告を供給するように構成されたロジックを有する。
【図面の簡単な説明】
【０００７】
【図１】クロスプラットフォームターゲット広告を提供するシステムの実施形態を示すブロックダイアグラムである。
【図２】図１のシステムによりクロスプラットフォームターゲット広告を提供する方法の実施形態を示すフローチャートである。
【図３】図１のシステムによりユーザー関連情報を収集する方法の実施形態を示す組み合わせたブロック／フローダイアグラムである。
【図４】クロスプラットフォームターゲット広告を提供する方法の他の実施形態を示す組み合わせたブロック／フローダイアグラムである。
【図５】クロスプラットフォームターゲット広告を提供する方法のさらに他の実施形態を示す組み合わせたブロック／フローダイアグラムである。
【発明を実施するための形態】
【０００８】
クロスプラットフォームターゲット広告を実施するためのシステム、方法、コンピューティングデバイス、及びコンピューターソフトウェアの種々の実施形態が開示される。上述のとおり、そして図１〜５に関連して以下でさらに詳細に説明されるとおり、クロスプラットフォームターゲット広告のシステム及び方法は、異なるプラットフォーム（例えば、プライマリプラットフォーム及びセカンダリプラットフォーム）のいずれかにより収集される情報に基づき、ターゲット広告を、異なるプラットフォームにわたってユーザーに供給することができる。一実施形態において、プライマリプラットフォームはオンラインプラットフォームを含み、セカンダリプラットフォームはモバイルプラットフォームを含むことがあるが、クロスプラットフォームターゲット広告のシステム及び方法が任意の種類の２つ以上のプラットフォームにわたり実施できることを認識されたい。集中システムを利用して、様々な種類の望ましいユーザー関連データ（例えば、ユーザー選好データ、アカウント情報、ロケーション系情報など）が収集・記憶される。ユーザー関連データは、プライマリプラットフォーム（例えばオンラインプラットフォーム）又はセカンダリプラットフォーム（例えばモバイルプラットフォーム）により収集できる。モバイルプラットフォームは、モバイルキャリアネットワーク又は他の通信ネットワークにより、コンテント及び／又はアプリケーションをモバイル通信デバイス（例えば携帯電話）に配信する任意の通信システムを意味する。モバイルプラットフォームは、例えば、モバイル通信デバイスの限定されたディスプレイサイズ若しくは処理パワー又は関係するネットワークの帯域幅など、モバイル通信デバイス又は関係するネットワークの制限のため、オンラインプラットフォームに比べ性能限定であるかもしれない。オンラインプラットフォームは、インターネット又はワールドワイドウェブにより通信デバイスにコンテント及び／又はアプリケーションを配信する任意の通信システムを意味する。
【０００９】
操作時に、ユーザー関連データは、プライマリ又はセカンダリプラットフォームに関係するサイトでのセッション中にユーザーにより与えられることがある。他の実施形態において、ユーザー関連データは、セッション中に自動的に捕捉されることがある。ユーザー関連データは、集中システムに記憶され、ユーザーがその後プライマリ又はセカンダリプラットフォームに関係するサイトにアクセスする時ユーザーにターゲット広告を供給するために使用される。例えば、ある汎用的なシナリオでは、ユーザー関連データがモバイルサイトでのセッション中に収集され、集中システムに記憶される。この実施形態において、ユーザー関連データは、例えば、ユーザーの携帯電話番号、ユーザーの地理的な位置、モバイルのブラウジング履歴、アプリケーションの好み、ユーザーの興味、又は他の望ましいデータを含む。さらに、モバイルサイトが、ショートメッセージサービス（ＳＭＳ）アプリケーション、無線アプリケーションプロトコル（ＷＡＰ）サイト、又はモバイルプラットフォームによりユーザーに提供される他のコンテントサイト若しくはアプリケーションを含むことを認識されたい。ユーザーがその後関連又関係するサイトにアクセスすると、モバイルセッション中に収集されたユーザー関連データを使用して、ウェブサイトでのオンラインセッション中にユーザーに対するターゲット広告を決定し供給することができる。他の汎用シナリオにおいて、ユーザー関連データがウェブサイトから収集され、その後上述のモバイルサービスのいずれかによりユーザーにターゲット広告を供給するのに使用される。このようにすると、集中システムは、アドバタイザーが、モバイル広告キャンペーン及び従来のオンライン広告キャンペーンの両方に単一のシステムを使用できるので、ターゲット広告に一体化した解決策を与える。さらに、集中システムは、モバイルセッションから得たデータを使用し、ウェブサイトによりターゲット広告を特定し、設定し、又は他の方法で通知することができる（逆も同じ）。
【００１０】
図１は、クロスプラットフォームターゲット広告を実施するシステム１００の実施形態を表す。システム１００は、ウェブサイト１１４及び関連又は関係しているモバイルサイト１１６をサポートする１つ以上のサーバーに動作可能に連結されたクロスプラットフォームターゲット広告システム１０２を含む。サーバー（複数可）１１２（例えば、ウェブサーバー、キャリアサーバーなど）は、モバイルプラットフォーム及びオンラインプラットフォームとインターフェイスで連結するように構成されている。この点で、サーバー（複数可）１１２は、通信ネットワーク１０８（例えば、キャリアネットワーク及び／又はインターネット若しくはワールドワイドウェブ（ＷＷＷ）などのデータネットワーク）により、モバイルデバイス１０４及び通信デバイス１０６と通信するように構成されていることがある。モバイルデバイス１０４は、携帯電話、携帯可能なコンピューティングデバイス、又はキャリアネットワーク１０８と通信するように構成された他の任意の無線コンピューティングデバイスを含むことがある。コンピューティングデバイス１０６は、パーソナルコンピューター、ラップトップ、又はインターネット１１０により通信するように構成されている他のインターネット使用可能デバイスを含むことがある。単一のデバイス（例えばスマートフォン）が、通信の両形態をサポートするように構成され、そのためモバイルデバイス１０４とコンピューティングデバイス１０６の両方として操作できることを認識されたい。このように、モバイルデバイス及びコンピューティングデバイスという用語は、特定のエンドユーザーデバイス又はハードウェア及びソフトウェア構成に限定されないものとする。むしろ、これらの用語は、特定のデバイスがモバイルサイト１１６（例えばセカンダリプラットフォームにより）又はウェブサイト１１４（例えばプライマリプラットフォームにより）のどちらにアクセスしているかを意味する。さらに、「ユーザー」及び「デバイス」又は「クライアントデバイス」という用語は交換可能に使用できることを認識されたい。
【００１１】
クロスプラットフォームターゲット広告システム１０２は、クロスプラットフォームターゲット広告の提供を管理するプロセッサ実行可能なロジックを含む。この点で、そして以下に詳細に説明されるとおり、クロスプラットフォームターゲット広告システム１０２は、一般的に、（１）ウェブサイト１１４及び／又はモバイルサイト１１６でのユーザーセッションからユーザー関連データを収集・記憶し、（２）データベース探索を容易にして、ユーザー関連データに基づきターゲット広告を供給するように構成されるロジックを含む。ユーザー関連データは、ユーザーモバイルデータ１２２及びユーザーウェブデータ１２４を含むユーザープロファイル１２０としてデータベース１１８中に記憶することができる。図１にさらに示されるとおり、システム１００は１つ以上のアドサーバー１２６を含むことがある。アドサーバー（複数可）１２６は、広告を記憶し、ユーザープロファイル１２０に基づきウェブサイト１１４及びモバイルアプリケーション１１６にアクセスするユーザーに広告を供給する。アドサーバー（複数可）１２６の機能性をサーバー（複数可）１１２と一体化し、データベース１１８をサーバー（複数可）１１２又は１２６のいずれにより維持してもよいことを認識されたい。いくつかの実施形態において、アドサーバー（複数可）１２６及び／又はクロスプラットフォームターゲット広告システム１０２は、それぞれのシステム要素に動作可能に連結するように好適に構成されたインターフェースとともに、サーバー（複数可）１１２から離れて設置されていてもよい。
【００１２】
クロスプラットフォームターゲット広告を実施する例示的なシステム１００の一般的な要素が説明されたので、クロスプラットフォームターゲット広告システム１０２の種々の実施形態のアーキテクチャ、操作、及び／又は機能性が、図２〜５に関連して説明される。クロスプラットフォームターゲット広告システム１０２は、上述及び以下で記載の種々の特徴及び機能を与えるロジックを含むことを認識されたい。クロスプラットフォームターゲット広告システム１０２は、ソフトウェア、ハードウェア、ファームウェア、又はそれらの組み合わせにおいて実施できる。一実施形態において、前記システムは、メモリ又は記憶装置に記憶されて好適な命令実行システムにより実行されるソフトウェア又はファームウェアにおいて実施される。ソフトウェア又はファームウェアの実施形態において、ロジックは任意の好適なコンピュータ言語で書かれていてよい。ロジックの一部は、モバイルデバイス１０４、コンピューティングデバイス１０６、サーバー（複数可）１１２、又はアドサーバー（複数可）１２６にあってよい。ハードウェア実施形態において、前記システムは、全て当分野に公知の以下の技術又は他の技術のいずれか又は組み合わせにより実施してよい：データシグナルに論理関数を実施する論理回路を有する離散論理回路（複数可）、適切な組み合わせ論理回路を有する特定用途向け集積回路（ＡＳＩＣ）、プログラマブルゲートアレイ（複数可）（ＰＧＡ）、フィールドプログラマブルゲートアレイ（ＦＰＧＡ）など。
【００１３】
当業者は、図２〜５のフローチャートに図示されているものを含む、クロスプラットフォームターゲット広告システム１０２の操作に関係するプロセス又は方法の説明が、プロセス中の論理関数又は工程を実施する１つ以上の実行命令を含むモジュール、セグメント、ロジック、又はコードの一部を示すことがあることを認識するであろう。当業者には理解されるであろうが、どの論理関数も、含まれている機能性によって、実質的に同時に又は逆の順番を含む記載されたものとは順番を違えて実施してもよいことをさらに認識されたい。
【００１４】
さらに、クロスプラットフォームターゲット広告システム１０２は、命令実行システム、装置、又はデバイスから命令をフェッチしその命令を実行できるコンピュータ系システム、プロセッサ含有システム、又は他のシステムなど、命令実行システム、装置、デバイスにより使用するための、又はそれらと関連して使用するための任意のコンピュータ読取可能媒体中に組み入れることもできる。この文書の文脈では、「コンピュータ読取可能媒体」は、命令実行システム、装置、又はデバイスにより使用するためのプログラム又はそれと関連して使用するためのプログラムを含み、記憶し、通信し、伝達し、又はトランスポートできる任意の手段でよい。コンピュータ読取可能媒体は、例えば、電子、磁気、光学、電磁気、赤外、又は半導体システム、装置、デバイス、又は伝搬媒体でよいが、これらに限定されない。コンピュータ読取可能媒体のより具体的な例（非網羅的なリスト）は、以下を含むであろう：電気又は電子接続、携帯可能コンピュータディスケット（磁気）、ランダムアクセスメモリ（ＲＡＭ）（電子）、読取専用メモリ（ＲＯＭ）（電子）、消去可能なプログラム可能読取専用メモリ（ＥＰＲＯＭ又はフラッシュメモリ）（電子）、光ファイバー（光学）、及び携帯可能なコンパクトディスク読取専用メモリ（ＣＤＲＯＭ）（光学）。プログラムを、例えば紙又は他の媒体の光走査により電子的に捕捉し、次いでコンパイルし、必要な場合翻訳又は他の方法で好適に処理し、次いでコンピュータメモリ中に記憶できるので、コンピュータ読取可能媒体が、紙又はプログラムが印刷される他の好適な媒体でもよいことに留意されたい。
【００１５】
図２は、クロスプラットフォームターゲット広告システム１０２の実施可能ないくつかの実施形態の１つのアーキテクチャ、操作、及び／又は機能性を示す。ブロック２０２で、ユーザー３０２（図３）は、モバイルデバイス１０４によりモバイルサイト１１６に、又はコンピューティングデバイス１０６によりウェブサイト１１４にアクセスする。モバイルサイト１１６は、例えば、ＷＡＰサイト、ＳＭＳアプリケーション、又はモバイルデバイス１０４によりアクセス可能なコンテント及び／又は機能性の任意の組み合わせを含んでよい。ウェブサイト１１４は、コンテント及び／又は機能性の任意の組み合わせを含んでよい。モバイルサイト１１６及びウェブサイト１１４は、デバイスに設置されたブラウザー又はクライアント及び／又はサーバー機能性の任意の組み合わせによりアクセス可能である。
【００１６】
ブロック２０４では、ユーザー関連データ３０４（図３）が、モバイルサイト１１６又はウェブサイト１１４での最初のセッションの間に収集される。モバイルサイト１１６又はウェブサイト１１４のいずれがクライアントデバイスによりアクセスされているかにより、異なる種類の情報が収集できることを認識されたい。上述のとおり、情報は、ユーザーにより提供されることも、自動的に収集されることもある。ブロック２０６では、収集された情報がデータベース１１８に記憶される。図３に示される実施形態において、ユーザー関連データ３０４は、以下の１つ以上を含む：ユーザーのブラウジング履歴；ユーザーの携帯電話番号（又は他のアカウント情報）；ロケーション系情報；ユーザーの興味；ジオロケーション情報；モバイルデバイス１０４又はコンピューティングシステム１０６の種類及びモデル；キャリア情報；又は他の望ましい情報。クロスプラットフォームターゲット広告システム１０２は、モバイルデバイス１０４及び／又はコンピューティングデバイス１０６に設置されたブラウザーによりクッキー機構を実施することがある。クッキー機構又は他のトラッキング機構を利用し、システム内のユーザーの挙動を追跡することができる。クロスプラットフォームターゲット広告システム１０２は、収集された情報をデータベース１１８中に記憶する。情報収集の前、その間、及び／又はその後に、ブロック２０８で、ユーザー３０２は、ウェブサイト１１４又はモバイルサイト１１６とインタラクトできる。
【００１７】
ブロック２１０で、ユーザー３０２は、その後のセッションでモバイルサイト１１６又はウェブサイト１１４のいずれかにアクセスする。先のセッションからユーザー関連データ３０４を既に収集・記憶しているので、ブロック２１２で、クロスプラットフォームターゲット広告システム１０２は、データベース１１８中のユーザー関連データのデータベース探索を実施する。ユーザー関連データ３０２に基づき、クロスプラットフォームターゲット広告システム１０２はユーザー３０２を確定し、ブロック２１４で、ターゲット広告を確認しユーザー３０２に供給する。上述のとおり、ターゲット広告の選択及び配信は、サーバー（複数可）１１２及びアドサーバー（複数可）１２６の任意の組み合わせにより実施できる。重要な側面の１つは、その後のセッションでモバイルサイト１１６及びウェブサイト１１４の一方に供給されるターゲット広告が、モバイルサイト１１６又はウェブサイト１１４での最初のセッションの間に収集されたユーザー関連データ３０４（ブロック２０６）に少なくとも部分的に基づいて選択されていることである。このようにして、クロスプラットフォームターゲット広告システム１０２は、それぞれのモバイル及びオンラインプラットフォーム（すなわち、プライマリ及びセカンダリプラットフォーム）にわたりターゲット広告を提供するが、データはプラットフォーム間で組み合わされ、両プラットフォームでターゲット広告を提示できる。
【００１８】
図４は、図１の例示的なシステム１００によりクロスプラットフォームターゲット広告を実施する方法の他の実施形態を示す。この実施形態では、ユーザー選好データが収集される最初のセッションはウェブサイト１１４であるが、別な実施形態では最初のセッションがモバイルサイト１１６であってもよい。ウェブサイト１１４及びモバイルサイト１１６は、関心のある特定の話題又は関連する話題（例えばスポーツ）に関連している。図４に示されるとおり、ユーザー３０２はウェブサイト１１４を訪問し、特定のユーザー選好データを与えることがある。ユーザー選好データは、ユーザー３０２が好むスポーツの種類、関心のある特定のチームなどを特定することができる。クロスプラットフォームターゲット広告システム１０２は、データベース１１８にユーザー選好データを記憶する。後に、又は別なセッションで、ユーザー３０２は、関連又は関係するモバイルサイト１１６にアクセスすることがある。クロスプラットフォームターゲット広告システム１０２はユーザー３０２を特定し、次いでデータベース探索を実施する。ユーザー選好データ（アドサーバー１２６に渡されることがある）に基づき、アドサーバー１２６は、モバイルサイト１１６によりユーザー３０２に供給されるターゲット広告を選択する。
【００１９】
図５は、クロスプラットフォームターゲット広告を実施する方法の他の実施形態を表す。この実施形態において、ユーザー３０２はウェブサイト１１４を訪れ、上述のとおりユーザー選好データを（能動的に又は受動的に）与え、データはデータベース１１８に記憶される。ユーザー選好データは、ウェブアカウント（例えばユーザーウェブデータ１２４−図１）と関係づけることができる。ウェブサイト１１４でのセッションの間、ユーザー３０２は、モバイルアラートサービスにもサインアップすることがある。ユーザー３０２は、前記サービスにより受信するアラートの種類を特定することができる。クロスプラットフォームターゲット広告システム１０２は、ユーザーの携帯電話番号など（例えばユーザーモバイルデータ１２２−図１）モバイルアラートサービスのパラメータ及びアカウント情報を特定するモバイルアカウントを作ることがある。モバイルアラートサービスを確認するために、ユーザーの携帯電話にメッセージが送られることがある。前記メッセージは、ユーザー３０２をモバイルサイト１１６のＵＲＬに向ける埋め込まれたリンクを含むことがある。ユーザー３０２がリンクをたどると、モバイルアカウントが確認され、モバイルアカウントがウェブアカウントとリンクする。
【００２０】
一実施形態において、ユーザー３０２は、モバイルプラットフォームからオンラインプラットフォームへアカウントＩＤを与えることがあり、その逆の場合もある。クロスプラットフォームターゲット広告システム１０２は、ユーザーの携帯電話に特有のＩＤを与え、モバイルウェブサイト１１６でその特有なＩＤをユーザー３０２が入力するように促すことがある。これは、例えばテキストメッセージとしてマニュアル的に行われることもあるが、ユーザー３０２にウェブリンクが与えられることもある。他の実施形態において、特有のＩＤが受動的に与えられることがある。他の実施形態において、ユーザー３０２に、モバイルユーザーＩＤを含むリンクを含む電子メールが送られることもある。クロスプラットフォームターゲット広告システム１０２はログイン手順を強いることもあるが、これはユーザー３０２が電子メール中のリンクをクリックする時ログインを強いるものである。ログイン手順は、任意の好適な認証技術を利用して実施してよい。
【００２１】
後に、又は別なセッションで、ユーザー３０２は関連するモバイルサイト１１６にアクセスすることがある。クロスプラットフォームターゲット広告システム１０２はユーザー３０２を同定し、次いでデータベース探索を実施する。上述のリンク機構又は他の望ましい技術により、ユーザー３０２を同定できる。上述のとおり、ユーザー選好データに基づき、アドサーバー１２６は、モバイルサイト１１６によりユーザー３０２に供給されるターゲット広告を選択する。さらに、後にウェブサイト１１４を訪問すると、クロスプラットフォームターゲット広告システム１０２は、モバイル情報を利用してターゲット広告を供給することができる。
【００２２】
本発明の原理及び概念を説明する目的で、１つ以上の例示的又は記載された実施形態に関連して、本開示が提示されてきたことに留意されたい。本発明はそのような実施形態に限定されない。当業者に理解されるとおり、本明細書に与えられる説明を考慮すると、多くの変形を本明細書に記載の実施形態に加えることができ、そのような変形は全て本発明の範囲内である。
【図１】
2011054173.tif 000003
【図２】
2011054173.tif 000004
【図３】
2011054173.tif 000005
【図４】
2011054173.tif 000006
【図５】
2011054173.tif 000007